(57)【要約】【課題】申し込みがなされた複数の求人の求人内容が同一内容である場合に、求人者が求人情報の複数箇所での公開をそれぞれ別の求人として独立におこなうのか否かを容易に確認することができる求人情報管理方法を提供すること。【解決手段】求人情報比較部１２４ｂが、求人者から受け付けた求人情報と登録済求人情報１２３ｃに登録された求人情報とを比較して求人内容が同一か否かを判定し、選択情報出力部１２４ｄが、それらの求人情報の求人内容が同一であると判定した場合に、求人者から受け付けた求人情報を、新規の求人情報として登録済求人情報１２３ｃに、求人情報を公開する職業安定所の情報に対応付けて登録するか否かを選択する選択画面６０を出力する。【選択図】        図２
2005165824.tif 000002
【特許請求の範囲】
【請求項１】
所定の公開場所または公開地域で公開される求人情報の管理をおこなう求人情報管理方法であって、
第１の求人情報を受け付けた際に、公開場所または公開地域に係る情報に対応付けてあらかじめデータベースに登録された第２の求人情報と該第１の求人情報とを比較して求人内容が同一か否かを判定する求人情報比較工程と、
前記求人情報比較工程により第１の求人情報および第２の求人情報の求人内容が同一であると判定された場合に、該第１の求人情報を新規の求人情報として前記データベースに該第１の求人情報の公開場所または公開地域に係る情報に対応付けて登録するか否かの選択情報を出力する選択情報出力工程と、
を含んだことを特徴とする求人情報管理方法。
【請求項２】
前記求人情報比較工程により前記第１の求人情報および前記第２の求人情報の求人内容が同一であると判定された場合に、該第１の求人情報の求人数と該第２の求人情報の求人数の合計求人数を算出する合計求人数算出工程をさらに含み、前記選択情報出力工程は、前記合計求人数算出工程により算出された合計求人数を出力することを特徴とする請求項１に記載の求人情報管理方法。
【請求項３】
前記選択情報出力工程により出力された選択情報に基づいて、前記第１の求人情報の新規登録をおこなわないことが選択された場合に、前記第２の求人情報の公開場所または公開地域に新たな公開場所または公開地域を追加する公開場所／公開地域追加工程をさらに含んだことを特徴とする請求項１または２に記載の求人情報管理方法。
【発明の詳細な説明】
【技術分野】
【０００１】
この発明は、所定の公開場所または公開地域で公開される求人情報の管理をおこなう求人情報管理方法に関し、特に、申し込みがなされた複数の求人の求人内容が同一内容である場合に、求人者が求人情報の複数箇所での公開をそれぞれ別の求人として独立におこなうのか否かを容易に確認することができる求人情報管理方法に関する。
【背景技術】
【０００２】
従来、求人者からの求人申し込みを端末装置により受け付けて、その求人申込みをサーバ装置に蓄積し、端末装置から求人情報の問い合わせがあった場合にその端末装置に求人情報を出力する求人情報管理システムが用いられている。特許文献１に示されるように、このような求人情報処理システムでは、求人者から求人申し込みを受け付ける際に、申し込み内容の確認をおこなってからサーバ装置に蓄積する。
【０００３】
同様の申し込み確認をおこなうシステムとしては、インターネット上で商品を販売する商店を複数集めた電子モールシステムがある。この電子モールシステムでは、購入を申し込んだ商品を一時的に買物かごに登録し、最後に購入申し込みの確認をおこなってから受注処理が実行される。
【０００４】
また、特許文献２には、銀行の通帳発行データを管理する通帳発行データ登録システムが開示されている。この通帳発行データ登録システムでは、発行する通帳の発行データ（口座番号、種類、氏名、性別、通帳番号等）を登録する際に、その発行データがすでに登録されているかどうかを確認し、すでに登録されている場合には警告メッセージを出力する。
【０００５】
【特許文献１】特開２００２−２６９２２０号公報
【特許文献２】特開平１０−２７５１９２号公報
【発明の開示】
【発明が解決しようとする課題】
【０００６】
しかしながら、特許文献１に代表される従来の求人情報処理システムにおいては、同一内容の求人情報を複数の職業安定所において公開するよう、求人者から複数の求人申し込みを受け付けた場合に、それら複数の求人申し込みがそれぞれ独立した求人申し込みなのか、それとも、同一の求人申し込みで、求人情報を公開する職業安定所を追加したいだけなのかを確認する仕組みが導入されていなかった。
【０００７】
たとえば、求人者が新宿の職業安定所で求人数が１０人である求人情報を公開し、さらに、池袋、渋谷および飯田橋の３カ所の職業安定所でも、募集する求人数の合計が１０人のまま、同一内容の求人情報の公開をおこないたい場合を考える。この場合、新宿、池袋、渋谷および飯田橋の職業安定所全体で求人数が１０人となるよう求人情報の公開を申し込む。
【０００８】
ところが、求人者が誤って新宿、池袋、渋谷および飯田橋の各職業安定所で１０人ずつの求人数、すなわち、求人数が合計４０人になるよう申し込んでしまう場合があり、従来の求人情報処理システムでは、そのような誤りに対処する機能が備わっていなかった。
【０００９】
また、上記電子モールシステムは、ある商店において買い物かごに商品を登録した際に、すでに他の商店で同一商品が登録されていたとしても、異なる商店間での商品登録の重複確認をおこなうことはないので、求人情報を公開する複数の職業安定所を取り扱う求人情報処理システムとはシステム構成が異なってくる。また、この電子モールシステムでは、買い物かごに商品を登録する際に、すでに発注がなされた商品の中から重複商品の確認をすることはない。
【００１０】
さらに、上記通帳発行データ登録システムは、通帳の発行データの二重登録に対する警告メッセージを出力するが、求人申し込みを受け付ける求人情報処理システムのように、求人情報を公開する場所や地域などの情報を管理するものではなかった。
【００１１】
また、この通帳発行データ登録システムでは、誤って二重登録をおこなったとしても、同一内容が上書きされるだけであるが、求人情報処理システムにおいては、二重登録をおこなってしまうと、求人人数が倍になってしまうため、安全性を考慮してシステムを構築する必要がある。
【００１２】
この発明は、上述した従来技術による問題点を解消するためになされたものであり、申し込みがなされた複数の求人の求人内容が同一内容である場合に、求人者が求人情報の複数箇所での公開をそれぞれ別の求人として独立におこなうのか否かを容易に確認することができる求人情報管理方法を提供することを目的とする。
【課題を解決するための手段】
【００１３】
上述した課題を解決し、目的を達成するため、本発明は、所定の公開場所または公開地域で公開される求人情報の管理をおこなう求人情報管理方法であって、第１の求人情報を受け付けた際に、公開場所または公開地域に係る情報に対応付けてあらかじめデータベースに登録された第２の求人情報と該第１の求人情報とを比較して求人内容が同一か否かを判定する求人情報比較工程と、前記求人情報比較工程により第１の求人情報および第２の求人情報の求人内容が同一であると判定された場合に、該第１の求人情報を新規の求人情報として前記データベースに該第１の求人情報の公開場所または公開地域に係る情報に対応付けて登録するか否かの選択情報を出力する選択情報出力工程と、を含んだことを特徴とする。
【００１４】
また、本発明は、前記求人情報比較工程により前記第１の求人情報および前記第２の求人情報の求人内容が同一であると判定された場合に、該第１の求人情報の求人数と該第２の求人情報の求人数の合計求人数を算出する合計求人数算出工程をさらに含み、前記選択情報出力工程は、前記合計求人数算出工程により算出された合計求人数を出力することを特徴とする。
【００１５】
また、本発明は、前記選択情報出力工程により出力された選択情報に基づいて、前記第１の求人情報の新規登録をおこなわないことが選択された場合に、前記第２の求人情報の公開場所または公開地域に新たな公開場所または公開地域を追加する公開場所／公開地域追加工程をさらに含んだことを特徴とする。
【００１６】
また、本発明は、所定の公開場所または公開地域で公開される求人情報の管理をおこなう求人情報管理装置であって、前記求人情報を該求人情報を公開する公開場所または公開地域に係る情報に対応付けて登録するデータベースと、第１の求人情報を受け付けた際に、前記データベースに登録された第２の求人情報と該第１の求人情報とを比較して求人内容が同一か否かを判定する求人情報比較手段と、前記求人情報比較手段により第１の求人情報および第２の求人情報の求人内容が同一であると判定された場合に、該第１の求人情報を新規の求人情報として前記データベースに該第１の求人情報の公開場所または公開地域に係る情報に対応付けて登録するか否かの選択情報を出力する選択情報出力手段と、を備えたことを特徴とする。
【００１７】
また、本発明は、前記求人情報比較手段により前記第１の求人情報および前記第２の求人情報の求人内容が同一であると判定された場合に、該第１の求人情報の求人数と該第２の求人情報の求人数の合計求人数を算出する合計求人数算出手段をさらに備え、前記選択情報出力手段は、前記合計求人数算出手段により算出された合計求人数を出力することを特徴とする。
【００１８】
また、本発明は、前記選択情報出力手段により出力された選択情報に基づいて、前記第１の求人情報の新規登録をおこなわないことが選択された場合に、前記第２の求人情報の公開場所または公開地域に新たな公開場所または公開地域を追加する公開場所／公開地域追加手段をさらに備えたことを特徴とする。
【００１９】
また、本発明は、所定の公開場所または公開地域で公開される求人情報の管理をおこなう求人情報管理プログラムであって、第１の求人情報を受け付けた際に、公開場所または公開地域に係る情報に対応付けてあらかじめデータベースに登録された第２の求人情報と該第１の求人情報とを比較して求人内容が同一か否かを判定する求人情報比較手順と、前記求人情報比較手順により前記第１の求人情報および前記第２の求人情報の求人内容が同一であると判定された場合に、該第１の求人情報の求人数と該第２の求人情報の求人数の合計求人数を算出する合計求人数算出手順と、前記求人情報比較手順により第１の求人情報および第２の求人情報の求人内容が同一であると判定された場合に、該第１の求人情報を新規の求人情報として前記データベースに該第１の求人情報の公開場所または公開地域に係る情報に対応付けて登録するか否かの選択情報を出力する選択情報出力手順と、前記選択情報出力手順により出力された選択情報に基づいて、前記第１の求人情報の新規登録をおこなわないことが選択された場合に、前記第２の求人情報の公開場所または公開地域に新たな公開場所または公開地域を追加する公開場所／公開地域追加手順と、をコンピュータに実行させることを特徴とする。
【発明の効果】
【００２０】
本発明によれば、第１の求人情報を受け付けた際に、公開場所または公開地域に係る情報に対応付けてあらかじめデータベースに登録された第２の求人情報と第１の求人情報とを比較して求人内容が同一か否かを判定し、第１の求人情報および第２の求人情報の求人内容が同一であると判定された場合に、第１の求人情報を新規の求人情報としてデータベースに第１の求人情報の公開場所または公開地域に係る情報に対応付けて登録するか否かの選択情報を出力することとしたので、申し込みがなされた複数の求人の求人内容が同一内容である場合に、求人者が求人情報の複数箇所での公開をそれぞれ別の求人として独立におこなうのか否かを容易に確認することができるという効果を奏する。
【００２１】
また、本発明によれば、第１の求人情報および第２の求人情報の求人内容が同一であると判定された場合に、第１の求人情報の求人数と第２の求人情報の求人数の合計求人数を算出し、算出された合計求人数を出力することとしたので、最終的な合計求人数が何人になるのかを確認することができ、申し込み手続きの誤りを容易に発見できるという効果を奏する。
【００２２】
また、本発明によれば、出力された選択情報に基づいて、第１の求人情報の新規登録をおこなわないことが選択された場合に、第２の求人情報の公開場所または公開地域に新たな公開場所または公開地域を追加することとしたので、データベースに記憶されている求人情報に対する公開場所または公開地域の追加を容易かつ確実におこなうことができるという効果を奏する。
【発明を実施するための最良の形態】
【００２３】
以下に添付図面を参照して、この発明に係る求人情報管理方法、求人情報管理装置および求人情報管理プログラムの好適な実施の形態を詳細に説明する。
【実施例１】
【００２４】
まず、本実施例１に係る求人情報管理システムについて説明する。図１は、実施例１に係る求人情報管理システムの機能的構成を示す機能ブロック図である。図１に示すように、この求人情報管理システムは、事業所端末装置１０ａ〜１０ｃと求人情報管理装置１２とがインターネット１１を介して接続され、職業安定所端末装置１４ａ〜１４ｃと求人情報管理装置１２とが職業安定所の専用ネットワーク１３を介して接続された構成となっている。
【００２５】
事業所端末装置１０ａ〜１０ｃは、求人をおこなう事業所に設置され、ＨＴＴＰプロトコルを用いて求人情報管理装置１２にアクセスすることが可能なＷＥＢブラウザを搭載した端末装置である。この事業所端末装置１０ａ〜１０ｃは、求人者による求人情報の入力を受け付けて、その求人情報を求人情報管理装置１２にインターネット１１を介して送信するなど、求人情報管理装置１４との間で求人に係るさまざまな情報を送受信する。
【００２６】
職業安定所端末装置１４ａ〜１４ｃは、各職業安定所に設置され、ＨＴＴＰプロトコルを用いて求人情報管理装置１２にアクセスすることが可能なＷＥＢブラウザを搭載した端末装置である。この職業安定所端末装置１４ａ〜１４ｃは、求人情報管理装置１２により送信された求人情報を受信して、その求人情報を各職業安定所で公開するために蓄積する。
【００２７】
求人情報管理装置１２は、本発明に係る装置であり、事業所端末装置１０ａ〜１０ｃおよび職業安定所端末装置１４ａ〜１４ｃからのアクセスを受け付けて、ＷＥＢサービスを提供するＨＴＴＰサーバである。
【００２８】
この求人情報管理装置１２は、求人をおこなう事業所の事業所端末装置１０ａ〜１０ｃから求人情報を受け付けた際に、公開場所に係る情報に対応付けてあらかじめデータベースに登録された求人情報と、受け付けた求人情報とを比較して求人内容が同一か否かを判定する。そして、求人内容が同一であると判定された場合に、求人情報管理装置１２に備えられた選択情報出力部１２４ｄが、受け付けた求人情報を新規の求人情報として、公開場所に係る情報に対応付けてデータベースに登録するのか否かの選択情報を出力する。
【００２９】
これにより、申し込みがなされた複数の求人の求人内容が同一内容である場合に、求人者が求人情報の複数箇所での公開をそれぞれ別の求人として独立におこなうのか否かを容易に確認することができる。
【００３０】
つぎに、図１に示した求人情報管理装置１２の機能的構成について説明する。図２は、図１に示した求人情報管理装置１２の機能的構成を示す機能ブロック図である。
【００３１】
図２に示すように、この求人情報管理装置１２は、インターフェース部１２０、入力部１２１、出力部１２２、記憶部１２３および制御部１２４を有する。インターフェース部１２０は、事業所端末装置１０ａ〜１０ｃまたは職業安定所端末装置１４ａ〜１４ｃとの間でインターネット１１または専用ネットワーク１３を介してデータの授受をおこなうネットワークインターフェースである。入力部１２１は、キーボードやマウスなどの入力デバイスである。表示部１２２は、ディスプレイなどの表示デバイスである。
【００３２】
記憶部１２３は、ハードディスク装置などの記憶デバイスであり、求人者認証情報１２３ａ、求人者情報１２３ｂ、登録済求人情報１２３ｃおよび受付番号管理情報１２３ｄを記憶している。
【００３３】
求人者認証情報１２３ａは、求人者が事業所端末装置１０ａ〜１０ｃを操作して求人情報管理装置１２にログインする際に用いられる認証情報、具体的には、求人者のログインＩＤやパスワードなどを記憶したデータである。
【００３４】
求人者情報１２３ｂは、求人をおこなう事業所を識別する事業所番号や名称、住所などの事業所に係る情報を記憶したデータである。この求人者情報１２３ｂを参照することにより、求人者が事業所端末装置１０ａ〜１０ｃを操作して事業所番号を入力した場合に、入力された事業所番号に対応する事業所の名称や住所などが自動的に入力されるようにすることができ、入力の手間を省くことができる。
【００３５】
登録済求人情報１２３ｃは、求人者が事業所端末装置１０ａ〜１０ｃを操作して登録した求人情報を記憶したデータ（データベース）である。図３は、図２に示した登録済求人情報１２３ｃの一例を示す図である。
【００３６】
図３に示すように、この登録済求人情報１２３ｃは、受付番号、事業所番号、申請職業安定所、事業所名、電子メールアドレス、求人数、諸条件および連絡先職業安定所の各項目を記憶している。
【００３７】
受付番号は、申し込みを受け付けた順に各求人情報に割り当てられる通し番号であり、事業所番号は、各事業所を識別するための識別番号である。申請職業安定所は、求人情報の公開申し込みがおこなわれた職業安定所を識別する職業安定所の名称であり、事業所名は、求人申し込みをおこなった事業所の名称である。電子メールアドレスは、求人をおこなった事業所の連絡先となる電子メールアドレスである。
【００３８】
求人数は、事業所が求人を希望する求人数の情報であり、諸条件は、求人年齢や、就業時間、賃金などの求人条件の情報である。図４は、求人者により入力された求人条件の一例を示す図である。図４に示すように、求人者は事業所端末装置１０ａ〜１０ｃを操作して、事業所番号、就業時間、職種、年齢、仕事の内容、毎月の賃金、昇給、賞与などの情報を入力する。
【００３９】
図３の説明に戻ると、連絡先職業安定所は、求人申し込みをおこなった申請職業安定所のほかに求人情報を公開する職業安定所の名称である。たとえば、受付番号が「１３−３０９００１」である求人情報は、申請職業安定所が「飯田橋」であり、連絡先職業安定所には情報が登録されていないので、当該求人情報の公開は「飯田橋」職業安定所でのみおこなわれる。一方、受付番号が「１３−３０９００２」である求人情報は、申請職業安定所が「飯田橋」であり、連絡先職業安定所が「新宿」であるため、当該求人情報は「飯田橋」職業安定所および「新宿」職業安定所の２箇所でおこなわれる。
【００４０】
図２の説明に戻ると、受付番号管理情報１２３ｄは、つぎになされる新規求人申し込みの求人情報に対して割り当てる受付番号を記憶したデータである。図５は、図２に示した受付番号管理情報１２３ｄの一例を示す図である。
【００４１】
この受付番号管理情報１２３ｄに記憶された受付番号は、新規の求人情報に受付番号「１３−３０９００３」が割り当てられた後、番号が「１３−３０９００３」から「１３−３０９００４」というように１増やされ、つぎの求人情報に割り当てるための番号に更新される。ここで、「−」で区切られた左側の情報「１３」は、年度を示しており、「−」で区切られた右側の情報は、その年度において各求人情報に割り当てられる通し番号を示している。
【００４２】
図２の説明に戻ると、制御部１２４は、この求人情報管理装置１２を全体制御する制御部であり、求人情報取得部１２４ａ、求人情報比較部１２４ｂ、合計求人数算出部１２４ｃ、選択情報出力部１２４ｄ、公開場所追加部１２４ｅ、新規求人情報登録部１２４ｆおよび求人情報連絡部１２４ｇを有する。
【００４３】
求人情報取得部１２４ａは、求人者が事業所端末装置１０ａ〜１０ｃを操作して入力した求人情報を取得する取得部である。その際、求人情報取得部１２４ａは、取得した求人情報を公開する職業安定所の情報を併せて取得する。
【００４４】
求人情報比較部１２４ｂは、求人情報取得部１２４ａにより取得された求人情報と登録済求人情報１２３ｃに登録された求人情報とを比較して、同一の求人内容の求人情報があるか否かを判定する比較部である。
【００４５】
具体的には、求人情報比較部１２４ｂは、図３で説明した事業所番号、事業所名、求人数および諸条件が一致する求人情報を登録済求人情報１２３ｃから検索する。なお、ここでは、求人情報の求人内容が同一である条件を、事業所番号、事業所名、求人数および諸条件が一致する場合としたが、図３に示した諸条件の一部が異なる場合も同一であると判定するなど、その条件を適宜変更することができる。これにより、入力ミス等により求人内容が一部のみ異なっている場合にも求人情報を検索することができるようになる。
【００４６】
合計求人数算出部１２４ｃは、求人情報取得部１２４ａにより取得された求人情報における求人数と、求人情報比較部１２４ｂにより求人内容が同一として登録済求人情報１２３ｃから検索された求人情報の求人数とを足し合わせた合計求人数を算出する算出部である。
【００４７】
選択情報出力部１２４ｄは、求人情報取得部１２４ａが取得した求人情報と、求人情報比較部１２４ｂにより検索された求人情報とが同一の求人内容であると判定された場合に、合計求人数算出部１２４ｃにより算出された合計求人数の情報を出力するとともに、求人情報取得部１２４ａにより取得された求人情報を登録済求人情報１２４ｃに新規登録するのか、求人情報比較部１２４ｂにより登録済求人情報１２３ｃから検索された求人情報の連絡先職業安定所に新たな職業安定所を追加登録するのかを選択する選択画面を事業者端末装置１０ａ〜１０ｃに出力する。
【００４８】
図６は、選択情報出力部１２４ｄが出力する選択画面６０の一例を示す図である。図６に示すように、この選択画面６０は、今回求人情報の公開申し込みをおこなった職業安定所と異なる職業安定所に、同一の求人内容である求人申し込みがすでにおこなわれていることを示すメッセージと、合計求人数算出部１２４ｃにより算出された合計求人数の情報とを表示する。
【００４９】
さらに、この選択画面６０は、このまま求人情報の新規登録処理を継続することを指示するための申込ボタン６１と、求人情報の新規登録ではなく、登録済求人情報１２３ｃに記憶されている求人情報に連絡先職業安定所を追加する処理のみを実行することを指示するための連絡ボタンと６２と、求人申し込み処理を取り消すための取消ボタン６３とを表示して、おこなうべき処理内容の指定を事業者端末装置１０ａ〜１０ｃから受け付ける。
【００５０】
図２の説明に戻ると、公開場所追加部１２４ｅは、選択情報出力部１２４ｄにより出力された選択画面６０において、連絡ボタン６２がクリックされ、連絡先職業安定所追加処理の実行要求を受け付けた場合に、求人情報比較部１２４ｂにより検索された求人情報の連絡先職業安定所に、求人情報の公開をおこなう新たな職業安定所を追加する処理を実行する。
【００５１】
具体的には、図６に示した選択画面６０において、連絡ボタン６２がクリックされた場合に、連絡先職業安定所を設定するための設定画面を表示する。図７は、公開場所追加部１２４ｅが出力する連絡先職業安定所設定画面７０の一例を示す図である。
【００５２】
図７に示すように、公開場所追加部１２４ｅは、連絡先職業安定所を選択することのできるプルダウン式の選択欄７１を表示する。この選択欄７１のボタンをクリックすることにより、連絡先職業安定所の候補が複数表示され、その中から所望の連絡先職業安定所を設定することができる。さらに、ＯＫボタン７２をクリックすると、つぎに示す連絡先職業安定所追加確認画面が表示される。
【００５３】
図８は、公開場所追加部１２４ｅが出力する連絡先職業安定所追加確認画面８０の一例を示す図である。図８に示すように、この連絡先職業安定所追加確認画面８０では、始めに求人申し込みがなされた申請職業安定所の情報と、後から追加された連絡先職業安定所の情報と、全体の求人数の情報とが表示される。
【００５４】
さらに、ＯＫボタン８１と、取消ボタン８２とが表示され、ＯＫボタン８１がクリックされると、連絡先職業安定所の追加が確定され、登録済求人情報１２４ｃの該当する求人情報の連絡先職業安定所の項目に新たな職業安定所の情報が登録される。取消ボタン８２がクリックされると、連絡先職業安定所の追加が取り消される。
【００５５】
図２の説明に戻ると、新規求人情報登録部１２４ｆは、選択情報出力部１２４ｄにより出力された選択画面６０において、申込ボタン６１がクリックされ、求人情報の新規登録処理の実行要求を受け付けた場合に、求人情報取得部１２４ａにより取得された求人情報を登録済求人情報１２４ｃに新規登録する処理をおこなう。
【００５６】
具体的には、新規求人情報登録部１２４ｆは、受付番号管理情報１２３ｄから新規登録する求人情報に割り当てる受付番号の情報を取得し、さらに、求人情報を公開する申請職業安定所の情報を求人者から受け付ける処理をおこなう。そして、その受付番号と申請職業安定所の情報とに対応付けて求人情報を新規に登録する。
【００５７】
申請職業安定所の情報を求人者から受け付ける際には、新規求人情報登録部１２４ｆは、図６および図７に示した場合と同様に、各求人情報の合計求人数の情報を出力するとともに、申請職業安定所を選択することのできるプルダウン式の選択欄を有する申請職業安定所の設定画面を出力する（図示せず）。
【００５８】
求人情報連絡部１２４ｇは、公開場所追加部１２４ｅにより求人情報に新たな連絡先職業安定所が追加された場合や、新規求人情報登録部１２４ｆにより求人情報が新規に登録された場合に、新規登録された求人情報の申請職業安定所、または、連絡先職業安定所の職業安定所端末装置１４ａ〜１４ｃに求人情報を送信（連絡）する処理をおこなう。その求人情報を受信した職業安定所端末装置１４ａ〜１４ｃは、受信した求人情報を記憶し、随時求人情報の公開をおこなう。
【００５９】
つぎに、本実施例１に係る求人情報管理装置１２がおこなう求人情報管理処理の処理手順について説明する。図９は、実施例１に係る求人情報管理装置１２がおこなう求人情報管理処理の処理手順を説明するフローチャートである。
【００６０】
図９に示すように、まず、求人情報管理装置１２の求人情報取得部１２４ａは、事業所端末装置１０ａ〜１０ｃにより送信された求人情報を受信する（ステップＳ９０１）。そして、求人情報比較部１２４ｂは、受信した求人情報と、過去に申し込みがなされた求人情報の求人内容とを比較する処理をおこなう（ステップＳ９０２）。
【００６１】
そして、求人内容が同一でない場合には（ステップＳ９０３，Ｎｏ）、ステップＳ９１１に移行して、新規求人情報登録部１２４ｆは、当該求人情報を新規に登録する処理をおこなう。この新規求人情報登録処理については、後に図１１を用いて詳しく説明する。
【００６２】
求人内容が同一である場合には（ステップＳ９０３，Ｙｅｓ）、合計求人数算出部１２４ｃは、ステップＳ９０１で受信した求人情報の求人数と、過去に申し込みがなされた求人情報の求人数との合計求人数を算出する（ステップＳ９０４）。
【００６３】
続いて、選択情報出力部１２４ｄは、算出された合計求人数の情報とともに、つぎにおこなうべき処理の処理内容を選択する選択画面を事業者端末装置１０ａ〜１０ｃに出力する（ステップＳ９０５）。具体的には、選択情報出力部１２４ｄは、図６に示した選択画面６０を出力することにより、求人情報取得部１２４ａにより取得された求人情報を新規登録するのか、あるいは、過去に申し込みがなされた求人情報の連絡先職業安定所に新たな職業安定所を追加登録するのかを選択することを求人者に促す。
【００６４】
その後、選択情報出力部１２４ｄは、処理内容の指定を図６に示したような選択画面６０上で受け付ける（ステップＳ９０６）。そして、ステップＳ９０７において、指定された処理内容が「連絡」であった場合には、公開場所追加部１２４ｅは、連絡先職業安定所に職業安定所を新たに追加する連絡先追加処理をおこなう（ステップＳ９０８）。この連絡先追加処理については、後に図１０を用いて詳しく説明する。
【００６５】
ステップＳ９０７において、指定された処理内容が「中止」であった場合には、選択情報出力部１２４ｄは、ステップＳ９０１で受信した求人情報を破棄して、処理を中止する。指定された処理内容が「申込」であった場合には、新規求人情報登録部１２４ｆは、当該求人情報を新規に登録する処理をおこなう（ステップＳ９０９）。
【００６６】
つぎに、図９のステップＳ９０８に示した連絡先追加処理の具体的な処理手順について説明する。図１０は、公開場所追加部１２４ｅがおこなう連絡先追加処理の具体的な処理手順を示すフローチャートである。
【００６７】
図１０に示すように、公開場所追加部１２４ｅは、図６に示した選択画面６０において、「連絡」処理が選択された場合に、図７に示した連絡先職業安定所設定画面７０を事業所端末装置１０ａ〜１０ｃに出力する（ステップＳ１００１）。
【００６８】
そして、公開場所追加部１２４ｅは、事業所端末装置１０ａ〜１０ｃにより送信された連絡先職業安定所の設定情報を受け付け（ステップＳ１００２）、図８に示した連絡先職業安定所追加確認画面８０を事業所端末装置１０ａ〜１０ｃに出力する（ステップＳ１００３）。
【００６９】
続いて、公開場所追加部１２４ｅは、連絡先職業安定所の追加が確定であるか否かを調べる処理をおこなう（ステップＳ１００４）。具体的には、連絡先職業安定所追加確認画面８０において、ＯＫボタン８１あるいは取消ボタン８２のいずれかがクリックされた場合に、その情報を事業所端末装置１０ａ〜１０ｃから取得して、連絡先職業安定所の追加が確定であるか否かを調べる。
【００７０】
連絡先職業安定所の追加が確定ではなく、連絡先職業安定所の追加を取り消す取消ボタン８２がクリックされた場合には（ステップＳ１００４，Ｎｏ）、公開場所追加部１２４ｅは、この連絡先の追加を取り消し（ステップＳ１００７）、ステップＳ１００６に移行する。
【００７１】
連絡先職業安定所の追加を確定するＯＫボタン８１がクリックされ、連絡先職業安定所の追加が確定された場合には（ステップＳ１００４，Ｙｅｓ）、公開場所追加部１２４ｅは、ステップＳ１００２で受け付けた連絡先安定所の情報を、登録済求人情報１２３ｃの該当する連絡先職業安定所に追加する処理をおこなう（ステップＳ１００５）。
【００７２】
その後、公開場所追加部１２４ｅは、連絡先追加処理が終了したことを示す処理終了画面（図示せず）を事業所端末装置１０ａ〜１０ｃに出力し（ステップＳ１００６）、この連絡先追加処理を終了する。
【００７３】
つぎに、図９のステップＳ９０９に示した新規求人情報登録処理の具体的な処理手順について説明する。図１１は、新規求人情報登録部１２４ｆがおこなう新規求人情報登録処理の具体的な処理手順を示すフローチャートである。
【００７４】
図１１に示すように、新規求人情報登録部１２４ｆは、図６に示した選択画面６０において、「申込」処理が選択された場合に、受付番号管理情報１２３ｄから管理番号を取得して、事業所端末装置１０ａ〜１０ｃから申し込みがなされた求人情報に割り当てる処理をおこなう（ステップＳ１１０１）。
【００７５】
そして、新規求人情報登録部１２４ｆは、申請職業安定所の設定を受け付ける申請職業安定所設定画面（図示せず）を事業所端末装置１０ａ〜１０ｃに出力し（ステップＳ１１０２）、事業所端末装置１０ａ〜１０ｃから申請職業安定所の設定情報を受け付ける（ステップＳ１１０３）。
【００７６】
具体的には、新規求人情報登録部１２４ｆは、図７に示したような、申請職業安定所を選択することのできるプルダウン式の選択欄を有する申請職業安定所の設定画面を出力する（図示せず）。
【００７７】
そして、新規求人情報登録部１２４ｆは、求人情報の新規登録を確定するか否かを確認する確認画面（図示せず）を事業所端末装置１０ａ〜１０ｃに出力し（ステップＳ１１０４）、その新規登録が確定であるか否かを調べる処理をおこなう（ステップＳ１１０５）。
【００７８】
具体的には、新規求人情報登録部１２４ｆは、上記確認画面上に新規登録を確定するＯＫボタンおよび新規登録を取り消す取消ボタン配置しておき、ＯＫボタンあるいは取消ボタンのいずれかがクリックされた場合に、その情報を事業所端末装置１０ａ〜１０ｃから取得して、求人情報の新規登録が確定であるか否かを調べる。また、この確認画面には、図８に示した場合と同様に、各申請職業安定所における求人数、および、合計求人数の情報が出力される。
【００７９】
新規登録が確定ではなく、取消ボタンがクリックされた場合には（ステップＳ１１０５，Ｎｏ）、新規求人情報登録部１２４ｆは、求人情報の新規登録を取り消し（ステップＳ１１０８）、ステップＳ１１０７に移行する。
【００８０】
ＯＫボタン８１がクリックされ、求人情報の新規登録が確定された場合には（ステップＳ１１０５，Ｙｅｓ）、新規求人情報登録部１２４ｆは、求人情報取得部１２４ａが取得した求人情報を、登録済求人情報１２３ｃに登録する処理をおこなう（ステップＳ１１０６）。
【００８１】
その後、新規求人情報登録部１２４ｆは、新規求人情報登録処理が終了したことを示す処理終了画面（図示せず）を事業所端末装置１０ａ〜１０ｃに出力し（ステップＳ１１０７）、この連絡先追加処理を終了する。
【００８２】
上述してきたように、本実施例１では、求人情報比較部１２４ｂが、求人者から受け付けた求人情報と登録済求人情報１２３ｃに登録された求人情報とを比較して求人内容が同一か否かを判定し、選択情報出力部１２４ｄが、それらの求人情報の求人内容が同一であると判定した場合に、求人者から受け付けた求人情報を、新規の求人情報として登録済求人情報１２３ｃに、求人情報を公開する職業安定所の情報に対応付けて登録するか否かを選択する選択画面６０を出力することとしたので、申し込みがなされた複数の求人の求人内容が同一内容である場合に、求人者が求人情報の複数箇所での公開をそれぞれ別の求人として独立におこなうのか否かを容易に確認することができる。
【００８３】
また、本実施例１では、合計求人数算出部１２４ｃが、求人者から受け付けた求人情報と登録済求人情報１２３ｃに登録された求人情報の求人内容が同一であると判定された場合に、求人者から受け付けた求人情報の求人数と、求人内容が同一で登録済求人情報１２３ｃに登録された求人情報の求人数との合計求人数を算出し、選択情報出力部１２４ｄが、算出された合計求人数を出力することとしたので、最終的な合計求人数が何人になるのかを確認することができ、申し込み手続きの誤りを容易に発見できる。
【００８４】
また、本実施例１では、出力された選択画面６０において、求人者から受け付けた求人情報の新規登録をおこなわないことが選択された場合に、公開場所追加部１２４ｅが、求人情報を公開する職業安定所を、求人者から受け付けた求人情報と求人内容が同一で、登録済求人情報１２３ｃに登録された求人情報の連絡先職業安定所に追加することとしたので、登録済求人情報１２３ｃに記憶されている求人情報に対する連絡先職業安定所の追加を容易かつ確実におこなうことができる。
【実施例２】
【００８５】
ところで、上記実施例１で説明した求人情報管理装置および求人情報管理方法は、あらかじめ用意されたプログラムをパーソナル・コンピュータやワークステーションなどのコンピュータシステムで実行することによって実現することができる。そこで、本実施例２では、上記実施例１で説明した求人情報管理装置（求人情報管理方法）と同様の機能を有する求人情報管理プログラムを実行するコンピュータシステムについて説明する。
【００８６】
図１２は、実施例２に係るコンピュータシステム２００の構成を示すシステム構成図であり、図１３は、図１２に示したコンピュータシステム２００に係る本体部２０１の構成を示すブロック図である。
【００８７】
図１２に示すように、本実施例２に係るコンピュータシステム２００は、本体部２０１と、本体部２０１からの指示によって表示画面２０２ａに画像などの情報を表示するためのディスプレイ２０２と、このコンピュータシステム２００に種々の情報を入力するためのキーボード２０３と、ディスプレイ２０２の表示画面２０２ａ上の任意の位置を指定するためのマウス２０４とを備える。
【００８８】
また、このコンピュータシステム２００における本体部２０１は、図１３に示すように、ＣＰＵ２２１と、ＲＡＭ２２２と、ＲＯＭ２２３と、ハードディスクドライブ（ＨＤＤ）２２４と、ＣＤ−ＲＯＭ２０９を受け入れるＣＤ−ＲＯＭドライブ２２５と、フレキシブルディスク（ＦＤ）２０８を受け入れるＦＤドライブ２２６と、ディスプレイ２０２、キーボード２０３並びにマウス２０４を接続するＩ／Ｏインターフェース２２７と、ローカルエリアネットワークまたはワイドエリアネットワーク（ＬＡＮ／ＷＡＮ）２０６に接続するＬＡＮインターフェース２２８とを備える。
【００８９】
さらに、このコンピュータシステム２００には、インターネットなどの公衆回線２０７に接続するためのモデム２０５が接続されるとともに、ＬＡＮインターフェース２２８およびＬＡＮ／ＷＡＮ２０６を介して、他のコンピュータシステム（ＰＣ）２１１、サーバ２１２並びにプリンタ２１３などが接続される。
【００９０】
そして、このコンピュータシステム２００は、所定の記録媒体に記録された求人情報管理プログラムを読み出して実行することで求人情報管理装置（求人情報管理方法）を実現する。ここで、所定の記録媒体とは、フレキシブルディスク（ＦＤ）２０８、ＣＤ−ＲＯＭ２０９、ＭＯディスク、ＤＶＤディスク、光磁気ディスク、ＩＣカードなどの「可搬用の物理媒体」の他に、コンピュータシステム２００の内外に備えられるハードディスクドライブ（ＨＤＤ）２２４や、ＲＡＭ２２２、ＲＯＭ２２３などの「固定用の物理媒体」を含むものである。
【００９１】
さらに、所定の記録媒体とは、モデム２０５を介して接続される公衆回線２０７や、他のコンピュータシステム２１１並びにサーバ２１２が接続されるＬＡＮ／ＷＡＮ２０６などのように、プログラムの送信に際して短期にプログラムを保持する「通信媒体」など、コンピュータシステム２００によって読み取り可能な求人情報管理プログラムを記録する、あらゆる記録媒体を含むものである。
【００９２】
すなわち、求人情報管理プログラムは、上記した「可搬用の物理媒体」、「固定用の物理媒体」、「通信媒体」などの記録媒体に、コンピュータ読み取り可能に記録されるものであり、コンピュータシステム２００は、このような記録媒体から求人情報管理プログラムを読み出して実行することで求人情報管理装置および求人情報管理方法を実現する。
【００９３】
なお、求人情報管理プログラムは、コンピュータシステム２００によって実行されることに限定されるものではなく、他のコンピュータシステム２１１またはサーバ２１２が求人情報管理プログラムを実行する場合や、これらが協働して求人情報管理プログラムを実行するような場合にも、本発明を同様に適用することができる。
【００９４】
さて、これまで本発明の実施例について説明したが、本発明は上述した実施例以外にも、上記特許請求の範囲に記載した技術的思想の範囲内において種々の異なる実施例にて実施されてもよいものである。
【００９５】
たとえば、本実施例では、求人情報を公開する場所が職業安定所である場合を示したが、本発明はこれに限定されるものではなく、その他の場所でもよい。また、求人情報を公開する場所を指定する以外に、求人情報を公開する地域を指定することとしてもよい。これは、たとえば、都道府県や関東地方などの地域単位で職業安定所を指定するような場合である。
【００９６】
また、本実施の形態において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００９７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００９８】
さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００９９】
（付記１）所定の公開場所または公開地域で公開される求人情報の管理をおこなう求人情報管理方法であって、
第１の求人情報を受け付けた際に、公開場所または公開地域に係る情報に対応付けてあらかじめデータベースに登録された第２の求人情報と該第１の求人情報とを比較して求人内容が同一か否かを判定する求人情報比較工程と、
前記求人情報比較工程により第１の求人情報および第２の求人情報の求人内容が同一であると判定された場合に、該第１の求人情報を新規の求人情報として前記データベースに該第１の求人情報の公開場所または公開地域に係る情報に対応付けて登録するか否かの選択情報を出力する選択情報出力工程と、
を含んだことを特徴とする求人情報管理方法。
【０１００】
（付記２）前記求人情報比較工程により前記第１の求人情報および前記第２の求人情報の求人内容が同一であると判定された場合に、該第１の求人情報の求人数と該第２の求人情報の求人数の合計求人数を算出する合計求人数算出工程をさらに含み、前記選択情報出力工程は、前記合計求人数算出工程により算出された合計求人数を出力することを特徴とする付記１に記載の求人情報管理方法。
【０１０１】
（付記３）前記選択情報出力工程により出力された選択情報に基づいて、前記第１の求人情報の新規登録をおこなわないことが選択された場合に、前記第２の求人情報の公開場所または公開地域に新たな公開場所または公開地域を追加する公開場所／公開地域追加工程をさらに含んだことを特徴とする付記１または２に記載の求人情報管理方法。
【０１０２】
（付記４）所定の公開場所または公開地域で公開される求人情報の管理をおこなう求人情報管理装置であって、
前記求人情報を該求人情報を公開する公開場所または公開地域に係る情報に対応付けて登録するデータベースと、
第１の求人情報を受け付けた際に、前記データベースに登録された第２の求人情報と該第１の求人情報とを比較して求人内容が同一か否かを判定する求人情報比較手段と、
前記求人情報比較手段により第１の求人情報および第２の求人情報の求人内容が同一であると判定された場合に、該第１の求人情報を新規の求人情報として前記データベースに該第１の求人情報の公開場所または公開地域に係る情報に対応付けて登録するか否かの選択情報を出力する選択情報出力手段と、
を備えたことを特徴とする求人情報管理装置。
【０１０３】
（付記５）前記求人情報比較手段により前記第１の求人情報および前記第２の求人情報の求人内容が同一であると判定された場合に、該第１の求人情報の求人数と該第２の求人情報の求人数の合計求人数を算出する合計求人数算出手段をさらに備え、前記選択情報出力手段は、前記合計求人数算出手段により算出された合計求人数を出力することを特徴とする付記４に記載の求人情報管理装置。
【０１０４】
（付記６）前記選択情報出力手段により出力された選択情報に基づいて、前記第１の求人情報の新規登録をおこなわないことが選択された場合に、前記第２の求人情報の公開場所または公開地域に新たな公開場所または公開地域を追加する公開場所／公開地域追加手段をさらに備えたことを特徴とする付記４または５に記載の求人情報管理装置。
【０１０５】
（付記７）所定の公開場所または公開地域で公開される求人情報の管理をおこなう求人情報管理プログラムであって、
第１の求人情報を受け付けた際に、公開場所または公開地域に係る情報に対応付けてあらかじめデータベースに登録された第２の求人情報と該第１の求人情報とを比較して求人内容が同一か否かを判定する求人情報比較手順と、
前記求人情報比較手順により前記第１の求人情報および前記第２の求人情報の求人内容が同一であると判定された場合に、該第１の求人情報の求人数と該第２の求人情報の求人数の合計求人数を算出する合計求人数算出手順と、
前記求人情報比較手順により第１の求人情報および第２の求人情報の求人内容が同一であると判定された場合に、該第１の求人情報を新規の求人情報として前記データベースに該第１の求人情報の公開場所または公開地域に係る情報に対応付けて登録するか否かの選択情報を出力する選択情報出力手順と、
前記選択情報出力手順により出力された選択情報に基づいて、前記第１の求人情報の新規登録をおこなわないことが選択された場合に、前記第２の求人情報の公開場所または公開地域に新たな公開場所または公開地域を追加する公開場所／公開地域追加手順と、
をコンピュータに実行させることを特徴とする求人情報管理プログラム。
【産業上の利用可能性】
【０１０６】
以上のように、本発明にかかる求人情報管理方法、求人情報管理装置および求人情報管理プログラムは、申し込みがなされた複数の求人の求人内容が同一内容である場合に、求人者が求人情報の複数箇所での公開を複数の求人申し込み間で独立におこなうのか否かを容易に確認することが必要な求人情報管理システムに適している。
【図面の簡単な説明】
【０１０７】
【図１】実施例１に係る求人情報管理システムの機能的構成を示す機能ブロック図である。
【図２】図１に示した求人情報管理装置１２の機能的構成を示す機能ブロック図である。
【図３】図２に示した登録済求人情報１２３ｃの一例を示す図である。
【図４】求人者により入力された求人条件の一例を示す図である。
【図５】図２に示した受付番号管理情報１２３ｄの一例を示す図である。
【図６】選択情報出力部１２４ｄが出力する選択画面６０の一例を示す図である。
【図７】公開場所追加部１２４ｅが出力する連絡先職業安定所設定画面７０の一例を示す図である。
【図８】公開場所追加部１２４ｅが出力する連絡先職業安定所追加確認画面８０の一例を示す図である。
【図９】実施例１に係る求人情報管理装置１２がおこなう求人情報管理処理の処理手順を説明するフローチャートである。
【図１０】公開場所追加部１２４ｅがおこなう連絡先追加処理の具体的な処理手順を示すフローチャートである。
【図１１】新規求人情報登録部１２４ｆがおこなう新規求人情報登録処理の具体的な処理手順を示すフローチャートである。
【図１２】実施例２に係るコンピュータシステム２００の構成を示すシステム構成図である。
【図１３】図１２に示したコンピュータシステム２００に係る本体部２０１の構成を示すブロック図である。
【符号の説明】
【０１０８】
１０ａ〜１０ｃ    事業所端末装置
１１    インターネット
１２    求人情報管理装置
１２０    インターフェース部
１２１    入力部
１２２    表示部
１２３    記憶部
１２３ａ    求人者認証情報
１２３ｂ    求人者情報
１２３ｃ    登録済求人情報
１２３ｄ    受付番号管理情報
１２４    制御部
１２４ａ    求人情報取得部
１２４ｂ    求人情報比較部
１２４ｃ    合計求人数算出部
１２４ｄ    選択情報出力部
１２４ｅ    公開場所追加部
１２４ｆ    新規求人情報登録部
１２４ｇ    求人情報連絡部
１３    専用ネットワーク
１４ａ〜１４ｃ    職業安定所端末装置
【図１】
2005165824.tif 000003
【図２】
2005165824.tif 000004
【図３】
2005165824.tif 000005
【図４】
2005165824.tif 000006
【図５】
2005165824.tif 000007
【図６】
2005165824.tif 000008
【図７】
2005165824.tif 000009
【図８】
2005165824.tif 000010
【図９】
2005165824.tif 000011
【図１０】
2005165824.tif 000012
【図１１】
2005165824.tif 000013
【図１２】
2005165824.tif 000014
【図１３】
2005165824.tif 000015